(57)【要約】  ＳＡＣＣＨバーストを用いて移動無線通信網において帯域内周波信号メッセージを送信する方法。帯域内周波信号のための各ＳＡＣＣＨバーストから固定された量のビットを破棄するのを防ぐために、ＳＡＣＣＨの４０ビットのＦＩＲＥコードがより短いＣＲＣコードと置換され、メッセージのための未使用のビットが生成される。ＳＡＣＣＨブロックが短縮されたのちに、コード化されたブロックを得るべく２分の１の畳み込みコードを適用する前に、複数のダミービットが短縮されたブロックに挿入される。コード化されたブロックは、さらにインタリーブされ、配列し直され、そして４つのＳＡＣＣＨバーストにコッピングされる。各ＳＡＣＣＨブロック内のダミービットは、送信のために、帯域内周波信号と置換される。
2005509326.tif 000002
【特許請求の範囲】
【請求項１】
情報をブロックで伝達するために無線インタフェース内の制御チャネルを使用して無線通信網内の移動局と基地トランシーバ局のあいだでメッセージを送る方法であって、各ブロックは伝達された情報、および第１のビット数を有する第１のエラー補正／検出コードを含み、
伝送用の複数の使用可能なビットを有する短縮されたブロックを得るために、前記第１のエラー補正／検出コードを、第１のビット数より少ない第２のビット数を有する第２のエラー検出コードで置換すること、および
移動局と基地局のあいだで送られるメッセージを示す追加ビットを使用可能なビットの少なくとも一部の中に入れること
を特徴とする方法。
【請求項２】
追加ビットを使用可能なビットに入れる前に、コード化された短縮ブロックを得るために短縮ブロックに畳み込み符号を適用する請求項１記載の方法。
【請求項３】
修正されたコード化ブロックを得るために、所定のビット位置のコード化された短縮ブロック内で使用可能なビットの少なくとも一部に複数のダミービットを挿入すること、
所定のビット位置から確定できる追加ビット位置の中にダミービットを含むインタリーブされたブロックを得るために、修正されたコード化ブロック内で、インタリーブ方式でビットを配列し直すこと、および
インタリーブブロック内のダミービットを追加ビットで置換すること
をさらに含む請求項２記載の方法。
【請求項４】
制御チャネルが、低速付随制御チャネル（ＳＡＣＣＨ）を備える請求項３の方法。
【請求項５】
インタリーブブロックが複数の追加ブロックに区切られ、各追加ブロックが複数のスチーリングフラグを含むＳＡＣＣＨバーストにマッピングされ、ダミービットが各ＳＡＣＣＨバースト内でつねに同じ位置を有する請求項４記載の方法。
【請求項６】
畳み込み符号が２分の１のレートの畳み込み符号である請求項２記載の方法。
【請求項７】
畳み込み符号が７ビットという制約長を有する請求項６記載の方法。
【請求項８】
第１のエラー補正／検出コードがＦＩＲＥコードであり、第２のエラー検出コードが巡回冗長検査（ＣＲＣ）コードである請求項１記載の方法。
【請求項９】
第２のビット数が１２から３０の範囲内である請求項１記載の方法。
【請求項１０】
メッセージが高速の電力制御信号を含む請求項１記載の方法。
【請求項１１】
メッセージを伝えるためにＳＡＣＣＨバースト内の１個または複数のビットを破棄する請求項５記載の方法。
【請求項１２】
スチーリングフラグが未使用であり、ＳＡＣＣＨバースト内の未使用のスチーリングフラグがメッセージを伝えるために使用できる請求項５記載の方法。
【請求項１３】
畳み込み符号の短縮ブロックへの適用の前に、短縮ブロックの長さを末尾部ビットで調整する請求項２記載の方法。
【請求項１４】
コード化された短縮ブロックの中にダミービットを挿入する前に、制約長を収容するためにコード化された短縮ブロックの長さを調整する請求項７記載の方法。
【請求項１５】
伝達された情報および第１のエラー補正／検出コードを含むＳＡＣＣＨブロックが、複数の末尾部ビットも含み、第１のビット総数を生じさせ、そして修正されたコード化ブロックが前記第１の総数に等しい第２のビット総数を含む請求項３記載の方法。
【請求項１６】
畳み込み符号が制約長を有する２分の１の畳み込み符号であり、
畳み込み符号を短縮ブロックに適用する前に短縮ブロックの長さを末尾部ビットで調整すること、および
ダミービットをコード化された短縮ブロックの中に挿入する前に、制約長を収容するためにコード化された短縮ブロックを調整することをさらに含んでおり、ＳＡＣＣＨブロックが、伝達された情報、第１のエラー補正／検出コード、およびさらに複数の追加の末尾部ビットを含み、第１のビット総数を生じさせ、修正されたコード化ブロックが前記第１の総数に等しい第２のビット総数を含む請求項３記載の方法。
【請求項１７】
インタリーブが、伝送用に第１の総数を有するＳＡＣＣＨブロックを配列し直すために使用され、前記インタリーブが、伝送用に修正されたコード化ブロックを配列し直すためにも使用される請求項１５記載の方法。
【請求項１８】
インタリーブが、伝送用に第１の総数を有するＳＡＣＣＨブロックを配列し直すために使用され、前記インタリーブが、伝送用に修正されたコード化ブロックを配列し直すためにも使用される請求項１６記載の方法。
【請求項１９】
情報をブロックで伝達するために低速付随制御チャネル（ＳＡＣＣＨ）を使用して無線通信網内の移動局と基地トランシーバ局のあいだでメッセージを送信する方法であって、各ブロックは伝達された情報、および第１のビット数を有する第１のエラー補正／検出コードを含み、
ブロック内の第１のエラー補正／検出コードを、短縮されたブロックを得るために第１の数より少ない第２のビット数を有する第２のエラー検出コードで置換すること、
コード化された短縮ブロックを得るために、短縮されたブロックに畳み込みコードを適用すること、
修正されたコード化ブロックを得るために、所定のビット場所のコード化された短縮ブロックの中に複数のダミーブロックを挿入すること、
所定のビット場所から確定できる追加ビット場所の中にダミービットを含むインタリーブブロックを得るために、修正されたコード化ブロック内のビットを、インタリーブ方式で配列し直すこと、および
インタリーブブロック内のダミービットを、移動局と基地局のあいだで送信されるメッセージを示すビットで置換すること
を特徴とする方法。
【請求項２０】
畳み込み符号が制約長を有し、
畳み込み符号を短縮ブロックに適用する前に、短縮ブロックの長さを末尾部ビットで調整すること、および
コード化された短縮ブロックの中にダミービットを挿入する前に、制約長に基づきコード化された短縮ブロックを調整すること
を含む請求項１９記載の方法。
【請求項２１】
情報をブロックで伝達するために無線インタフェースの制御チャネルを使用して無線通信網内の移動局と基地トランシーバ局のあいだでメッセージを送る装置であって、各ブロックが伝達された情報、および第１のビット数を有する第１のエラー補正／検出コードを含み、
ある長さを有する短縮されたブロックを得るために、ブロック内の第１のエラー補正／検出コードを、第１の数より少ない第２のビット数を有する第２のエラー検出コードで置換する手段と、
修正された短縮ブロックを得るために、短縮ブロックの長さを末尾部ビットで調整する手段と、
コード化された短縮ブロックを得るために、修正された短縮ブロックに畳み込み符号を適用する手段と、
修正されたコード化ブロックを得るために所定のビット場所のコード化された短縮ブロックの中に複数のダミービットを挿入する手段と、
所定のビット場所から確定できる追加のビット場所の中にダミービットを含むインタリーブブロックを得るために、修正されたコード化ブロック内のビットを、インタリーブ方式で配列し直す手段と、
交互配置ブロック内のダミービットを、移動局と基地局のあいだで送られるメッセージを示すビットで置換する手段と
を含むことを特徴とする装置。
【請求項２２】
前記コード化された短縮ブロックの中にダミービットを挿入する前に、コード化された短縮ブロックの長さを追加ビットで調整する手段
をさらに含む請求項２１記載の装置。
【請求項２３】
制御チャネルが低速付随制御チャネル（ＳＡＣＣＨ）である請求項２１記載の装置。
【発明の詳細な説明】
【技術分野】
【０００１】
本発明は概して基地トランシーバ局と移動局のあいだで信号メッセージを送信する方法に関し、さらに詳細には帯域内周波信号に関する。
【背景技術】
【０００２】
音声送信およびデータ送信のあいだ、ユーザデータに加えて無線インタフェース上で信号メッセージも伝えられる。信号メッセージにより、ネットワークおよび移動局はリソースおよびハンドオーバなどの重要な問題の管理を話し合うことができる。トラフィックが継続中であるとき、信号メッセージは付随制御チャネル（ＡＣＣＨ）を通して伝達される。低速付随制御チャネル（ＳＡＣＣＨ）は、緊急ではない手順のために――おもに専用の物理サブチャネル上でのハンドオーバ決定に必要とされる無線測定データの伝送のために使用される。ＳＡＣＣＨは、連続伝送が両方向で発生しなければならないという特異性を有する。ＳＡＣＣＨは、実際にはつねに専用物理サブチャネル（３ＧＰＰ  ＴＳ  ４３．０５１  ｖ．５．１．０リリース５）上に存在している。「デジタル携帯電話電気通信システム（フェーズ２＋）（Digital Cellular Telecommunications System（Ｐｈａｓｅ  ２＋）、移動無線インタフェース層３仕様書（Mobile Radio Interface Layer 3 Specification）、無線リソース制御プロトコル（Radio Resource Control Protocol））（ＧＳＭ  ０４．１８  ｖ８．８．０リリース１９９９年）に規定されるように、それぞれのＳＡＣＣＨブロックは、以下を伝える。つまり、（１）２個のオクテット（８ビット）の１つの物理層ヘッダ（物理層は、専用物理サブチャネル上での動作におけるタイミングの進みの制御および電力の制御のために同位層間のプロトコルを実現する）および（２）２１のオクテットの１つの層２のフレームである。したがって、各ＳＡＣＣＨブロックは、１８４個の情報ビットを含んでいる。４０ビットのＦＩＲＥコードおよび４ビットの末尾部が該情報ビットに加えられると、ブロックコードは２２８ビットを含む。ブロックコードが２分の１の（その制約長が５である）畳み込みコードを用いて符号化され、インタリーブ（interleave）されると、符号化されたＳＡＣＣＨブロックは、並べ替えられ、それぞれがインタリーブされたデータの１１４ビットを含む４個のブロックに区切られる４５６個のビットを含む。その場合、各ブロックは、そのスチーリングフラグが「１」にセットされる１バーストにマッピングされる（ＧＳＭ  ＴＳ  ０５．０３  ｖ８．６．１リリース１９９９年）。１２０ｍｓごとに１度の速度でいくつかの信号メッセージを伝達するために、ＳＡＣＣＨバーストごとに固定した量のビットを破棄することが提案されてきた。しかしながら、このような破棄はＳＡＣＨのリンクレベルの性能を引き下げる。
【０００３】
ＳＡＣＣＨのリンクレベルの性能を減ずることなくＳＡＣＣＨを使用する帯域内周波信号方式を提供することが有利であり、望まれている。
【０００４】
［発明の要約］
前述したように、１８４個の情報ビットからなるＳＡＣＣＨブロックはエラーの補正および検出のために４０ビットのＦＩＲＥコードとリンクされている。本発明の方法においては、エラーの補正および検出にＦＩＲＥコードを使用する代わりに、さらに短い巡回冗長検査（ＣＲＣ）コードが使用されている。４０ビットのＦＩＲＥコードをさらに短いＣＲＣコードで置換することにより、インタリーブされたブロックの中に帯域内周波信号に使用可能な余分なビットが生じるであろう。
【０００５】
したがって、本発明は、情報をブロックで伝達するために無線インタフェース内の制御チャネルを使用して無線通信網内の移動局と基地トランシーバ局のあいだでメッセージを送る方法を提供し、各ブロックは伝達された情報、および第１の数のビットを有する第１のエラー補正／検出コードを含む。前記方法は、
短縮されたブロックを得るために、ブロック内の第１のエラー補正／検出コードを、第１の数より少ない第２のビット数を有する第２のエラー検出コードと置き換えること、
コード化された短縮ブロックを得るために短縮ブロックに畳み込み符号を適用すること、
修正されたコード化ブロックを得るために、コード化された短縮ブロックの中の所定のビット位置に複数のダミービットを挿入すること、
所定のビット位置から確定できる追加のビット位置の中にダミービットを含むインタリーブブロックを得るために、修正されたコード化ブロック内で、インタリーブ方式でビットを配列し直すこと、および
インタリーブブロック内のダミービットを、移動局と基地局のあいだで送信されるメッセージを示すビットで置換すること
を特徴とする。
【０００６】
好ましくは、制御チャネルは、低速付随制御チャネル（ＳＡＣＣＨ）である。
【０００７】
さらに、インタリーブされたブロックは４個のブロックに区切られ、各ブロックはスチーリングフラグの２ビットを含むＳＡＣＣＨバーストにマッピングされる。
【０００８】
好ましくは、ダミービットは各ＳＡＣＣＨバースト内でつねに同じ位置を有する。
【０００９】
好ましくは、畳み込み符号は２分の１レートの畳み込み符号である。
【００１０】
好ましくは、畳み込み符号を短縮ブロックに適用する前に、複数の末尾部ビットがＳＡＣＣＨブロックに追加される。
【００１１】
本発明は、図１に関連して行なわれる説明を読むことで明らかになるであろう。
【発明を実施するための最良の形態】
【００１２】
受信機内のエラーの存在を検出するために、ユーザデータに、コード化プロセスで該ユーザデータから計算されたなんらかの冗長情報を追加することは周知である。汎欧州移動体通信システム（ＧＳＭ）においては、畳み込み符号はその目的のために前記ユーザデータをコード化するために使用される。さらに、４０ビットのＦＩＲＥコードは、バーストエラーの検出および補正のために使用される。さらに、インタリーブ手順は、ビットストリーム内のビットを数多くのバーストに分散する、またはインタレースするために使用される。インタリーブは、バースト全体が破壊されているときに送信されるデータの完全な損失を妨げるために使用される。
【００１３】
ＳＡＣＣＨに関して、ユーザデータがチャネルコーディング用エンコーダに送達されると、該データは１８４個の情報ビット、つまりｄ（０），ｄ（１），...ｄ（１８３）という固定サイズを有するバーストモードで送達される。１８４個の情報ビットのブロックは、４０個の余分なビットによりエラーから保護される。これらのビットは、以下の生成多項式を使用して短縮された２進巡回符号（ＦＩＲＥコード）にしたがって１８４個のビットに追加され、
【００１４】
ｇ（ｄ）＝（Ｄ23＋１）*（Ｄ17＋Ｄ3＋１）
【００１５】
この場合、Ｄjは符号化装置に送達されるデータシンボルである。
【００１６】
該巡回符号の符号化は以下の多項式に示されるような系統的な形式で実行され、
【００１７】
ｄ（０）Ｄ223＋ｄ（１）Ｄ222＋ ... ＋（１８３）Ｄ40＋ｐ（１）Ｄ38＋ ... ＋ｐ（３８）Ｄ＋ｐ（３９）
【００１８】
この場合、｛ｐ（０），ｐ（１），... ，ｐ（３９）｝はパリティビットであり、ｇ（Ｄ）で除算されると、
【００１９】
１＋Ｄ＋Ｄ2＋ ... ＋Ｄ39．
【００２０】
に等しい余りを生じさせる。
【００２１】
さらに、０に等しい４個の末尾部ビットが情報ビットおよびパリティビットに追加され、結果は２２８個のビットからなるブロックとなる。
【００２２】
ｕ（ｋ）＝ｄ（ｋ）              ｆｏｒ  ｋ＝０，１，... ，１８３
ｕ（ｋ）＝ｐ（ｋ−１８４）      ｆｏｒ  ｋ＝１８４，１８５，... ，２２３
ｕ（ｋ）＝０                    ｆｏｒ  ｋ＝２２４，２２５，２２６，２２７（末尾部ビット）
【００２３】
この２２８個のビットのブロックは、以下の多項式により定義される２分の１レートの畳み込み符号で符号化される。
【００２４】
Ｇ０＝１＋Ｄ3＋Ｄ4
Ｇ１＝１＋Ｄ＋Ｄ3＋Ｄ4
【００２５】
これから、４５６個のコード化ビットのブロックが生じる。つまり、｛ｃ（０），ｃ（１），... ，ｃ（４５５）｝であり、これらは以下により定義される。
【００２６】
ｃ（２ｋ）＝ｕ（ｋ）＋ｕ（ｋ−３）＋ｕ（ｋ−４）
ｃ（２ｋ＋１）＝ｕ（ｋ）＋ｕ（ｋ−１）＋ｕ（ｋ−３）＋ｕ（ｋ−４）
ｆｏｒ  ｋ＝０，１， ... ，２２７；ｕ（ｋ）＝０
ｆｏｒ  ｋ＜０
【００２７】
コード化されたビットは配列し直され、以下の規則にしたがってインタリーブされ、
【００２８】
ｉ（Ｂ，ｊ）＝ｃ（ｎ，ｋ）ｆｏｒ  ｋ＝０，１， ... ，４５５
ｎ＝０，１. ， ... ，Ｎ，Ｎ＋１，...
Ｂ＝Ｂ0＋４ｎ＋（ｋ ｍｏｄ ４）
ｊ＝２（（４９ｋ）ｍｏｄ ５７）＋（ｋ ｍｏｄ ８）ｄｉｖ ４）
【００２９】
この場合、Ｂはバーストつまりブロックに番号を付けるために使用され、Ｂ0は、伝送において第１のデータブロックである、ｎ＝０でデータブロックからビットを伝達する第１のバーストつまりブロックを記す。
【００３０】
ビットを配列し直した結果は、偶数番号付きビット上の４個のブロックおよび奇数番号付きビット上の４個のブロックで４５６個のビットを分散する、ビット数−指数ｊの評価から確かめることができる。結果として生じる４個のブロックは、偶数番号付きビットによるブロックと奇数番号付きビットによるブロックをまとめて１つのブロックに入れることにより構築される。
【００３１】
コード化されたデータのブロックは、新しいデータブロックが４番目のブロックごとに開始し、４個のブロックで分散されるインタリーブされた「ブロック矩形」である。
【００３２】
バーストでマッピングすると、マッピングは以下の規則により行なわれ、
【００３３】
ｅ（Ｂ，ｊ）＝ｉ（Ｂ，ｊ）ａｎｄ ｅ（Ｂ，５９＋ｊ）ｆｏｒ  ｊ＝０，１，... ，５６
【００３４】
および
【００３５】
ｅ（Ｂ，５７）＝ｈｌ（Ｂ）ａｎｄ ｅ（Ｂ，５８）＝ｈｕ（Ｂ）
【００３６】
この場合、ｅ（Ｂ，ｊ）’は１個のバースト内のビットを示し、ｉ（Ｂ，ｊ）’はインタリーブされたデータビットを示す。バースト番号Ｂでｈｌ（Ｂ）とｈｕ（Ｂ）と名称が付けられた２個のビットは、制御チャネル信号の表示に使用される「スチーリングフラグ」である。該スチーリングフラグは図２ＢではＳＢと名称が付けられている。現在、それらはＳＡＣＣＨについて「１」にセットされている。
【００３７】
本発明の方法は、ユーザデータを保護するために別のエラー検出コードを使用する。４０ビットのＦＩＲＥコードを使用する代わりに、さらに短い巡回冗長検査（ＣＲＣ）コードが使用される。ＣＲＣコードは当該技術分野でよく知られている。ＦＩＲＥコードをＣＲＣコードで置換することにより、信号メッセージを伝えるために数多くのビットを使用できる。
【００３８】
ここで図１を参照すると、ＳＡＣＣＨメッセージの伝送のための手順は以下のとおりである。１８４個の情報ビット、４０個のＦＩＲＥコードビットおよび４個の末尾部ビット（合計で２２８ビット）を含むＳＡＣＣＨブロックごとに、ＦＩＲＥコードは、ステップ１１０で、さらに短いＣＲＣコードまたは任意の他のさらに短いエラー検出コードで置換される。ステップ１１５で、畳み込み符号に制約長が使用される前に、複数の末尾部ビットがＳＡＣＣＨブロックに追加される。この短縮ＳＡＣＣＨブロックは、ステップ１２０で、コード化された短縮ＳＡＣＣＨブロックを得るために、同じかまたはさらに高い制約長の２分の１の畳み込み符号で符号化される。ブロックインタリーブを４５６ビット以上にしておくために、ステップ１３０で、コード化された短縮ＳＡＣＣＨブロック内に複数のダミービットが挿入される。つぎに、ステップ１４０で、ダミービットを含むブロック全体がインタリーブされ、４つのバーストからなるデータブロックに配列し直される。該バーストは、図２Ａから図２Ｃ中でＢ１、Ｂ２、Ｂ３およびＢ４で表示されている。インタリーブステップ１４０が、ＧＳＭ  ＴＳ  ０５．０３  ｖ．８．６．０  リリース１９９９年に定義されるステップと同一であることに注意する必要がある。ステップ１２０でのダミービットの挿入が、ステップ１４０のインタリーブステップののちに、それらがＳＡＣＣＨバースト内でつねに同じ位置を有するように実行されることにも注意する必要がある。たとえば、４０個のダミービットがステップ１３０でコード化された短縮ＳＡＣＣＨブロック内に挿入されると、これらのダミービットは、図２Ｂに図示されるように、ビット番号４７、４９、５１、５３、５５、６０、６２、６４、６６および６８によって表示される同じ位置を占有する。最終的に、ステップ１５０では、ダミービットは、バーストごとの帯域内周波信号用の信号メッセージを表すビットで置換される。信号メッセージは、たとえば高速電力制御（ＦＰＣ）信号である場合がある。
【００３９】
スチーリングフラグの８ビット（図２Ｂのビット番号５７と５８）が、現在使用されていないために「１」にセットされていることに注意する必要がある。これらのスチーリングフラグビットは、そのように所望される場合には信号メッセージを表すビットで置換することができる。さらに、ステップ１２５で、帯域内周波信号を伝えるために、符号化されたブロックの中の１個または複数のビットを削除するか、または破棄することができる。
【００４０】
４０ビットのＦＩＲＥコードを置換するために使用されるさらに短いＣＲＣコードは、たとえば２０ビットを有する場合がある。好ましくは、ＣＲＣコードの長さは１２ビットから３０ビットにおよんでいる。しかしながら、さらに短いまたはさらに長いＣＲＣコードを使用することも可能である。たとえば、帯域内周波信号にバーストあたり１０個のビットが必要とされ、４０ビットのファイアコードを置換するために２０ビットのＣＲＣコードが使用される場合、畳み込み符号の制約長が（５ビットから）７ビットに増加され、スチーリングフラグが使用されないときには、４ビットを削除するか、または破棄しなければならない。したがって、多様なステップにおけるＳＡＣＣＨブロック内のビット数は、以下のとおりとなる。
短縮されたＳＡＣＣＨブロックでは：    １８４＋２０＝２０４（ステップ１１０）
修正された短縮ＳＡＣＣＨブロックでは：２０４＋６＝２１０（ステップ１１５）
コード化されたブロックでは：          ２１０×２＝４２０（ステップ１２０）
破棄したブロックでは：                ４２０−４＝４１６（ステップ１２５）
修正されたコード化ブロックでは：      ４１６＋４０＝４５６（ステップ１３０）
ステップ１４０の後のインタリーブされたブロック内のビット数、およびステップ１５０の後の置換されたブロック内のビット数はともに４５６である。
【００４１】
別の例は以下のとおりである。バーストあたり１２ビットが帯域内周波信号に必要とされ、４０ビットのＦＩＲＥコードを置換するために１８ビットのＣＲＣコードが使用される場合、畳み込み符号の制約長が７ビットに増加し、両方のスチーリングフラグが使用されるときにはビットを破棄する必要はない。ビット数は以下のとおりである。
短縮されたＳＡＣＣＨブロックでは：    １８４＋１８＝２０２（ステップ１１０）
修正された短縮ＳＡＣＣＨブロックでは：２０２＋６＝２０８（ステップ１１５）
コード化されたブロックでは：          ２０８×２＝４１６（ステップ１２０）
破棄したブロックでは：                ４１６−０＝４１６（ステップ１２５）
修正されたコード化ブロックでは：      ４１６＋４０＝４５６（ステップ１３０）
ステップ１４０ののちのインタリーブブロック内、およびステップ１５０ののちの置換されたブロックの中の数は変わらないままである。
【００４２】
ステップ１３０ののちの修正されたコード化ブロック内のビット数が、１８４個の情報ビット、４０個のＦＩＲＥコードビットおよび４個の末尾部ビットを伝達する元のＳＡＣＣＨブロック内のビット数と同一である４５６個であることに注意する必要がある。したがって、ステップ１４０でビットを配列し直すためには、同じインタリーブを使用できる。さらに、エラー検出性能だけではなくブロック誤り率性能（ＢＬＥＲ）も維持するために、制約長を増加することが好ましい。したがって、前述した２つの例では、制約長は５ビットから７ビットに増加している。ただし、ＢＬＥＲの追加の改善が必要であるか、または所望される場合には、制約長は７ビットより長くなる場合がある。
【００４３】
図１と関連して説明したように、本発明は送信側でＳＡＣＣＨメッセージを伝えるための手順に関係している。受信側の手順は以下のとおりである。
−各ＳＡＣＣＨバーストの固定位置で帯域内周波信号を読み取り、該位置は、置換されたダミービットおよび考えられるスチーリングビット、および追加の破棄されたビットを含む。
−４５６ビットのブロックをインタリーブ解除する。および
−ダミービットを使用せずにＳＡＣＣＨブロックを復号する。
【００４４】
したがって、本発明はその好適な実施の形態に関して説明されてきたが、その形式および詳細における前記の、ならびに多様な他の変更、省略および逸脱は、本発明の精神および範囲から離れることなく行なわれてよいことが当業者により理解されるであろう。
【図面の簡単な説明】
【００４５】
【図１】本発明の帯域内周波信号方式を説明するフローチャートである。
【図２Ａ】ＳＡＣＣＨバースト内のダミービットのビット位置を示す表の第１の部分である。
【図２Ｂ】ＳＡＣＣＨバースト内のダミービットのビット位置を示す表の第２の部分である。
【図２Ｃ】ＳＡＣＣＨバーストのダミービットのビット位置を示す表の最後の部分である。
【図１】
2005509326.tif 000003
【図２Ａ】
2005509326.tif 000004
【図２Ｂ】
2005509326.tif 000005
【図２Ｃ】
2005509326.tif 000006
【国際調査報告】
2005509326.tif 000007